(57)【要約】  【課題】透明板の取付がより容易な構造を有する間仕切を提供する。  【解決手段】起立して複数設けられる支柱３及び前記支柱３間に横架して設けられる横架材４を少なくとも有する間仕切構造体と、前記間仕切構造体４の前面側又は後面側の少なくとも一方に取り付けられ、前記支柱に側端縁部を、前記横架材に上端縁及び下端縁をそれぞれ支持される板状をなすパネル要素たるガラス板５とを具備する間仕切に、前記横架材４が、前記支柱３に取り付けられる横架材本体４１と、前記横架材本体４１を上方から被覆する形状をなしガラス板５を上下両側に保持可能な透明板保持部材たるガラス保持枠４２とを別体に有する構造を採用する。  【選択図】図３
2006077542.tif 000002
【特許請求の範囲】
【請求項１】
起立して複数設けられる支柱及び前記支柱間に横架して設けられる横架材を少なくとも有する間仕切構造体と、前記間仕切構造体の前面側又は後面側の少なくとも一方に取り付けられ、前記支柱に側端縁部を、前記横架材に上端縁及び下端縁をそれぞれ支持される板状のパネル要素とを具備するものであって、前記横架材が、前記支柱に取り付けられる横架材本体と、前記横架材本体を上方から被覆する形状をなし前記パネル要素を上下両側に保持可能なパネル要素保持部材とを別体に有することを特徴とする間仕切。
【請求項２】
前記パネル要素保持部材が、間仕切構造体の前後両面に前記パネル要素を保持可能であることを特徴とする請求項１記載の間仕切。
【請求項３】
前記支柱の全てが、長手方向の略全域にわたって同一の断面形状を有するとともに、前記支柱の断面形状を点対称に形成していることを特徴とする請求項１又は２記載の間仕切。
【請求項４】
前記支柱の前面側及び後面側の左右両側に、前記パネル要素の側端縁部を保持可能なパネル要素保持部を有するとともに、左右いずれか一方のパネル要素保持部に前記パネル要素の一側端縁を一杯に差し込んだ状態で前記パネル要素保持部に対向する支柱のパネル要素保持部とパネル要素の他側端縁との間に空間が形成されることを特徴とする請求項３記載の間仕切。
【請求項５】
前記横架材を、高さ方向に所定の間隔で離間させて複数設けていることを特徴とする請求項１、２、３又は４記載の間仕切。
【請求項６】
起立して複数設けられる支柱及び前記支柱間に横架して設けられる横架材を少なくとも有する間仕切構造体と、前記間仕切構造体の前面側又は後面側の少なくとも一方に取り付けられ、前記支柱に側端縁部を、前記横架材に上端縁及び下端縁をそれぞれ支持される板状のパネル要素とを具備するものであって、前記支柱が、起立して設けられる支柱本体と、前記支柱本体を側方から被覆する形状をなし前記パネル要素を左右両側に保持可能なパネル要素保持部材とを別体に有することを特徴とする間仕切。
【請求項７】
起立して複数設けられる支柱及び前記支柱間に横架して設けられる横架材を少なくとも有する間仕切構造体に、前記支柱に側端縁部を、前記横架材に上端縁及び下端縁をそれぞれ支持される板状のパネル要素を取り付けるものであって、前記横架材が、前記支柱に取り付けられる横架材本体と、前記横架材本体を上方から被覆する形状をなし前記パネル要素を上下両側に保持可能なパネル要素保持部材とを別体に有することを特徴とするパネル要素の取付構造。
【請求項８】
起立して複数設けられる支柱及び前記支柱間に横架して設けられる横架材を少なくとも有する間仕切構造体に、前記支柱に側端縁部を、前記横架材に上端縁及び下端縁をそれぞれ支持される板状のパネル要素を取り付けるものであって、前記支柱が、起立して設けられる支柱本体と、前記支柱本体を側方から被覆する形状をなし前記パネル要素を左右両側に保持可能なパネル要素保持部材とを別体に有することを特徴とするパネル要素の取付構造。
【発明の詳細な説明】
【技術分野】
【０００１】
本発明は、板状のパネル要素を支柱を有する間仕切構造体の前面側又は後面側の少なくとも一方に取付可能な間仕切、及び支柱を有する間仕切構造体の少なくとも１面に板状のパネル要素を取り付ける際のパネル要素の取付構造に関する。
【背景技術】
【０００２】
従来より、ガラス板等により構成されるパネルを支柱に支持させて形成される間仕切において、上下方向に複数分割されて個々のパネルが着脱できるように構成されるものが考えられてきている。このようなパネルの取付構造において、上下のパネルの間に横架材を介在させ、その横架材の下端部を下段側に位置するパネルの上縁部に係わり合わせるとともに、当該横架材の上端部に上段側に位置するパネルの下縁部を係わり合わせて、パネル同士を積み上げるようにしているものが考えられてきている。（例えば、特許文献１を参照。）
【特許文献１】特開２００３−１４７８８７号公報
【発明の開示】
【発明が解決しようとする課題】
【０００３】
ところで、このようなパネルに用いられるガラス板等の高さ寸法は所定の規格に対応して一定であることが多く、このことを利用して横架材を所定ピッチで取り付けるようにするとともに、後からガラス板等を取り付けるようにして施工を容易にする要望が存在する。
【０００４】
しかし、上述した特許文献１の構成では、横架材がガラスの縁部を保護する枠材としての機能を兼ねていて、パネルを取り付ける際に、あくまで下段側のパネル、横架材、上段側のパネルの順に取り付ける必要がある。すなわち、上述した特許文献１の構成では、横架材を先に支柱に取り付ける態様を採用できず、このような要望に対応することが困難である。
【０００５】
本発明は、上記問題を解決すべく、パネルの取付がより容易な構造を有する間仕切を提供するものである。
【課題を解決するための手段】
【０００６】
すなわち本発明に係る間仕切は、起立して複数設けられる支柱及び前記支柱間に横架して設けられる横架材を少なくとも有する間仕切構造体と、前記間仕切構造体の前面側又は後面側の少なくとも一方に取り付けられ、前記支柱に側端縁部を、前記横架材に上端縁及び下端縁をそれぞれ支持される板状のパネル要素とを具備するものであって、前記横架材が、前記支柱に取り付けられる横架材本体と、前記横架材本体を上方から被覆する形状をなし前記パネル要素を上下両側に保持可能なパネル要素保持部材とを別体に有することを特徴とする。
【０００７】
このようなものであれば、前記横架材本体を先に支柱に取り付けておき、前記パネル要素の取り付けの際に該パネル要素及び前記横架材本体を上方から被覆するように前記パネル要素保持部材を取り付ける態様を採用できるので、予め隣接する横架材本体間の距離を設定しておけば、この距離に対応する高さ寸法のパネル要素とこのパネル要素を保持可能な前記パネル要素保持部材とを交互に積み重ねて取り付ける態様を採用できるので、前記パネル要素の取付作業を容易に行うことができるようになる。また、横架材本体の取付作業と前記パネル要素の取付作業とを別々に行うことができるようになり、これらの施工業者が別々である場合であってもこのような間仕切の設置を容易に行うことができるようになる。
【０００８】
特に、前記パネル要素保持部材が、間仕切構造体の前後両面に前記パネル要素を保持可能であれば、パネル要素を互いにその厚さ方向に重合させて設けることができるので、このような間仕切に防音効果を与えることができる。
【０００９】
前記支柱の全てが、長手方向の略全域にわたって同一の断面形状を有するとともに、前記支柱の断面形状を点対称に形成しているものであれば、この支柱を鉛直軸周りに１８０度回転しても平面形状が同一であるので、パネル要素の一側端縁を先に前記パネル要素保持部に保持させ、次いで他側端縁を前記パネル要素保持部に保持させる態様において、支柱を間違えて左右逆に取り付けてしまうことに伴い一方のパネル要素の左右の空間が少なくなりすぎパネル要素の取り付けが困難になる不具合の発生を予防できる。
【００１０】
パネル要素の一側端縁を先に前記パネル要素保持部に保持させ、次いで他側端縁を前記パネル要素保持部に保持させる態様を実現するための具体的な態様として、前記支柱の前面側及び後面側の左右両側に、前記パネル要素の側端縁部を保持可能なパネル要素保持部を有するとともに、左右いずれか一方のパネル要素保持部に前記パネル要素の一側端縁を一杯に差し込んだ状態で前記パネル要素保持部に対向する支柱のパネル要素保持部とパネル要素の他側端縁との間に空間が形成されるものが挙げられる。
【００１１】
また、前記横架材を、高さ方向に所定の間隔で離間させて複数設けているものであれば、前記パネル要素の高さ寸法を前記横架材の間隔に対応させることにより、このような間仕切の製造及び施工を規格化できるようになる。
【００１２】
また、起立して複数設けられる支柱及び前記支柱間に横架して設けられる横架材を少なくとも有する間仕切構造体と、前記間仕切構造体の前面側又は後面側の少なくとも一方に取り付けられ、前記支柱に側端縁部を、前記横架材に上端縁及び下端縁をそれぞれ支持される板状のパネル要素とを具備するものであって、前記支柱が、起立して設けられる支柱本体と、前記支柱本体を側方から被覆する形状をなし前記パネル要素を左右両側に保持可能なパネル要素保持部材とを別体に有することを特徴とする間仕切においても、先に支柱本体に横架材を取り付けておき、その後透明板とパネル要素保持部材とを交互に取り付ける態様を採用できるので、上述したうちの主要な効果に類似する効果、すなわち支柱間の距離に対応する幅寸法のパネル要素とこのパネル要素を保持可能な前記パネル要素保持部材とを交互に並べて取り付ける態様を採用できるので、前記パネル要素の取付作業を容易に行うことができるようになる効果が得られる。
【００１３】
さらに、間仕切以外の場合であっても、起立して複数設けられる支柱及び前記支柱間に横架して設けられる横架材を少なくとも有する間仕切構造体に、前記支柱に側端縁部を、前記横架材に上端縁及び下端縁をそれぞれ支持される板状のパネル要素を取り付けるものであって、前記横架材が、前記支柱に取り付けられる横架材本体と、前記横架材本体を上方から被覆する形状をなし前記パネル要素を上下両側に保持可能なパネル要素保持部材とを別体に有することを特徴とするパネル要素の取付構造、又は起立して複数設けられる支柱及び前記支柱間に横架して設けられる横架材を少なくとも有する間仕切構造体に、前記支柱に側端縁部を、前記横架材に上端縁及び下端縁をそれぞれ支持される板状のパネル要素を取り付けるものであって、前記支柱が、起立して設けられる支柱本体と、前記支柱本体を側方から被覆する形状をなし前記パネル要素を左右両側に保持可能なパネル要素保持部材とを別体に有することを特徴とするパネル要素の取付構造を採用すれば、同様に上述したうちの主要な効果が得られる。
【００１４】
なお、本発明において、「板状をなすパネル要素」とは、板状をなしてこのパネル要素が設けられる空間を区画する機能を有するもの全般を含む。
【発明の効果】
【００１５】
本発明に係る間仕切及びパネル要素の取付構造のうち１つによれば、前記横架材が、前記支柱に取り付けられる横架材本体と、前記横架材本体を上方から被覆する形状をなし、両側にパネル要素を保持可能なパネル要素保持部材とを別体に有するので、前記横架材本体を先に支柱に取り付けておき、パネル要素の取り付けの際に該パネル要素及び前記横架材本体を被覆するように前記パネル要素保持部材を取り付ける態様を採用できる。従って、予め隣接する本体間の距離を設定しておけば、この距離に対応する高さ寸法のパネル要素とこのパネル要素を保持可能な前記パネル要素保持部材とを交互に積み重ねて取り付ける態様を採用できるので、前記パネル要素の取付作業を容易に行うことができるようになる。
【００１６】
また、本発明に係る間仕切及びパネル要素の取付構造のうち他の１つによれば、前記支柱が、起立して設けられる支柱本体と、前記支柱本体を側方から被覆する形状をなしパネル要素を左右両側に保持可能なパネル要素保持部材とを別体に有するので、前記支柱本体に前記横架材を先に取り付けておき、パネル要素の取り付けの際に該パネル要素及び前記支柱本体を側方から被覆するように前記パネル要素保持部材を取り付ける態様を採用できるので、前段と同様の効果が得られる。
【発明を実施するための最良の形態】
【００１７】
以下、本発明の一実施形態を、図面を参照して説明する。
【００１８】
本実施形態に係る間仕切は、この間仕切Ａを配置すべき屋内空間（例えばオフィス空間など）の天井Ｃに取り付ける天井レール１、前記屋内空間の床Ｆに取り付ける巾木２、前記天井レール１と前記巾木２との間に起立して取り付けられる複数の支柱３、及びこれら複数の支柱３に対して横架させた複数の横架材４とを備える間仕切構造体Ｍと、前記間仕切構造体Ｍの前面側及び後面側にそれぞれ支持されるパネル要素たるガラス板５とを有する。
【００１９】
以下、具体的に各部について説明すると、天井レール１は、平面視略矩形状の頂壁１１とこの頂壁１１の両側縁から略垂下する垂下壁１２とを備えた長手方向に沿って各部等断面の下向きコ字型形状をなすものであって、アルミ押出材等を所定の長さ寸法に切断して形成してなる。
【００２０】
巾木２は、平面視略矩形状の底壁２１とこの底壁２１の両側縁から略起立する起立壁２２とを備えた長手方向に沿って各部等断面の下向きコ字型形状をなすものであって、アルミ押出材等を所定の長さ寸法に切断して形成してなる。
【００２１】
支柱３は、床Ｆ−天井Ｃ間の寸法よりも若干短い寸法を有するとともに、長手方向に沿って各部等断面形状をなすものであって、アルミ押出材等を所定の長さ寸法に切断して形成してなる。具体的には、断面視矩形状をなす支柱本体３１と、この支柱本体３１の前面の幅方向中心から所定距離変位した位置から前方に起立させて設けた第１起立壁３２１と、この第１起立壁３２１から前記支柱本体に対向させて設けた第１対向壁３２２と、前記支柱本体３１の後面の幅方向中心から所定距離変位した位置から後方に起立させて設けた第２起立壁３３１と、この第２起立壁３３１から前記支柱本体に対向させて設けた第２対向壁３３２とを有する。前記第１起立壁３２１と、前記第２起立壁３３１とは、前記支柱本体の後面の幅方向中心からそれぞれ反対側に変位させて設けている。すなわち、この支柱３の断面形状を点対称に形成している。そして、前記支柱本体３１と前記第１対向壁３２２との間、及び前記支柱本体３１と前記第２対向壁３３２との間に、ガラス板５を保持可能に構成している。すなわち、前記支柱本体３１、前記第１起立壁３２１、及び前記第１対向壁３２２によりこの支柱３の前面側の左右両側に開口しガラス板５を保持可能な透明板保持部たる第１ガラス板保持部３２を形成しているとともに、前記支柱本体３１、前記第２起立壁３３１、及び前記第２対向壁３３２によりこの支柱３の後面側の左右両側に開口しガラス板を保持可能な透明板保持部たる第２ガラス板保持部３３を形成している。なお、前記第１ガラス板保持部３２及び前記第２ガラス板保持部３３の開口幅は、いずれもガラス板５の厚みよりも少し大きくしている。そして、前記ガラス板５と前記支柱本体３１との間の空間に第１のビード５１、前記ガラス板５と前記第１対向壁３２２又は前記第２対向壁３３２との間の空間に第２のビード５２を挿入してガラス板５をこの支柱３に固定するようにしている。加えて、前記天井レール１及び巾木２に対応する箇所にはそれぞれ切り込み３ａ、３ｂを形成していて、前記天井レール１及び巾木２を該切り込み３ａ、３ｂにそれぞれ収納するようにしている。なお、この支柱３は、本実施形態では巾木２に取り付けるようにしているが、床Ｆから直接起立させて取り付けるようにしてもよい。また、本実施形態では、ガラス板５の巾寸法を、互いに隣接する支柱３の互いに対向する側端縁間の距離よりは大きく、互いに対向する前記第１ガラス板保持部３２内部の前記第１起立壁３２１間の距離よりは小さくし、ガラス板５の一側端縁を互いに対向する前記第１ガラス板保持部３２の開口のうち開口深さが深い方に一杯に挿入した際に、ガラス板５の他側端縁が他方の前記第１ガラス板保持部３２の開口の外側に位置するようにしている。すなわち、ガラス板５の一側端縁を一方の支柱３の前記第１ガラス板保持部３２に挿入してからガラス板５の他側端縁を他方の支柱３の前記第１ガラス板保持部３２に挿入する取り付け方法を可能にしている。
【００２２】
しかして本実施形態では、前記横架材４は、ガラス板５の上端縁又は下端縁を保持可能であり、前記支柱３に取り付けられる横架材本体４１と、前記横架材本体４１を被覆する形状をなし、両側にガラス板５を保持可能な透明板保持部材たるガラス保持枠４２とを別体に有する。
【００２３】
具体的には、前記横架材本体４１は、上方に開口するチャネル状をなすとともに、長手方向に沿って各部等断面形状をなすものであって、アルミ押出材等を所定の長さ寸法に切断して形成してなるとともに、本実施形態では高さ方向に所定の間隔で離間させて複数設けている。さらに詳述すると、この横架材本体４１は、平面視略矩形状の底板４１１と、前記底板４１１の前後両側端縁からそれぞれ起立して設けられる１対の起立板４１２と、前記１対の起立板４１２の高さ方向中央部下寄りの位置から相寄る方向にそれぞれ突出して設けられる下突起４１３と、前記１対の起立板４１２の高さ方向中央部で前記下突起４１３よりも上方の位置から相寄る方向にそれぞれ突出して設けられる上突起４１４とを少なくとも有する。そして、前記上突起４１３と下突起４１４との間に、支柱３に固定された横架材取付具４０を挿入し、この横架材取付具４０と前記下突起４１４とをねじ止めして支柱３に固定するようにしている。
【００２４】
一方、前記ガラス保持枠４２は、下方に開口するチャネル状をなすとともに、長手方向に沿って各部等断面形状をなすものであって、アルミ押出材等を所定の長さ寸法に切断して形成してなる。さらに詳述すると、このガラス保持枠４２は、前記横架材本体４１の上面を被覆し、前記横架材本体と略同一の巾寸法を有する平面視略矩形状の被覆板４２１と、断面視略Ｈ字状をなして幅方向に開口するとともに、上下両側にガラス板５をくわえ込むように保持可能なガラス板保持部４２２と、前記被覆板４２１及び前記ガラス板保持部４２２を接続する接続部４２３とを有する。なお、前記ガラス板保持部４２２の開口幅は、ガラス板５の厚みよりも少し大きくしている。さらに、このガラス保持枠４２の前記被覆板４２１下方で前後両側のガラス板保持部４２２により区画される領域に前記横架材本体４１を収納可能に構成している。そして、前記ガラス板５と前記ガラス板保持部４２２の開口との間の空間のうち、ガラス板５の内面側に第３のビード５３、ガラス板５の外面側に第４のビード５４を挿入して、ガラス板５をこのガラス保持枠４２に固定するようにしている。
【００２５】
なお、最上段のガラス板５の上端縁は、支柱３の上端部間に横架して設けられるとともに前記天井レール１に収納される第１上ガラス保持枠７１により内側から、また、前記第１上ガラス保持枠７１に係合させて取り付けられる第２上ガラス保持枠７２により外側から挟み込むようにしている。そして、前後両側のガラス板５の内面と前記第１上ガラス保持枠７１との間の空間に第５のビード５５、前後両側のガラス板５の外面と前記第２上ガラス保持枠７２との間の空間に第６のビード５６を挿入して該当するガラス板５を保持するようにしている。
【００２６】
また、最下段のガラス板５の下端縁は、支柱３の下端部間に横架して設けられ、両側にガラス板５を保持可能な下ガラス保持枠６により保持するようにしている。そして、前後両側のガラス板５の内面と前記下ガラス保持枠６との間の空間に第５のビード５５、前後両側のガラス板５の外面と前記下ガラス保持枠６との間の空間に第６のビード５６を挿入して該当するガラス板５を保持するようにしている。
【００２７】
このような間仕切Ａの組み立ては以下のようにして行う。
【００２８】
まず、支柱３を巾木２から起立させて天井レール１に取り付ける。次いで、支柱３間に横架材本体４１を取り付ける。さらに、最下段のガラス板５を前記下ガラス保持枠６に取り付けて、このガラス板５に前記ガラス保持枠４２をかぶせて取り付ける。その後、このガラス保持枠４２に次のガラス板５を取り付け、以下ガラス保持枠４２とガラス板５とを下側から順に取り付けていく。そして、最上段のガラス板５は、その上端部を天井レール１に挿入してから下端部をガラス保持枠４２に挿入するいわゆるけんどん方式で取り付ける。
【００２９】
このように、本発明に係る間仕切Ａは、前記支柱３間に横架して設けられる横架材４が、前記支柱３に取り付けられる横架材本体４１と、前記横架材本体４１を上方から被覆する形状をなし、上下両側にガラス板５を保持可能なガラス保持枠４２とを別体に有するので、上述したように、前記横架材本体４１を先に支柱３に取り付けておき、ガラス板５の取り付けの際に該ガラス板５及び前記横架材本体４１を被覆するように前記ガラス保持枠４２を取り付ける態様を採用できる。従って、予め設定した横架材本体４１間の距離に対応する高さ寸法のガラス板５とこのガラス板５を保持可能な前記ガラス保持枠４２とを交互に取り付けることにより、横架材本体４１の取付作業とガラス５の取付作業とを別々に行うことができるようになる。すなわち、これらの施工業者が別々である場合であってもこのような間仕切Ａの設置を容易に行うことができるようになる。
【００３０】
また、前記支柱３の断面形状を点対称に形成しているので、この支柱３を鉛直軸周りに１８０度回転しても平面形状が同一であり、従って、ガラス板５の一側端縁を先に前記ガラス保持枠４２に保持させ、次いで他側端縁を前記ガラス保持枠４２に保持させる態様において、支柱３を間違えて左右逆に取り付けてしまうことに伴い一方のガラス板５の左右の空間が少なくなりすぎガラス板５の取り付けが困難になる不具合の発生を予防できる。
【００３１】
さらに、前記横架材４を、高さ方向に所定の間隔で離間させて複数設けているとともに、ガラス板５の高さ寸法を前記横架材４の間隔に対応させているので、このような間仕切Ａの製造及び施工を規格化できるようになる。
【００３２】
なお、本発明は以上に述べた実施形態に限られない。
【００３３】
例えば、支柱の左側端縁部ないし右側端縁部に上下方向に延伸する溝等の左右識別手段を設けて支柱の左右両端縁を区別可能にし、左右両側に透明板を保持する透明板保持部のうち一方の透明板を保持する側の開口の開口深さを他方の透明板を保持する側の開口の開口深さよりも深くする態様を採用してもよい。このようなものであっても、支柱に左右識別手段を設けることにより、支柱の左右を間違えて透明板の取り付けが困難になってしまう不具合の発生を抑えることができる。
【００３４】
また、横架材間の間隔は、必ずしも等間隔である必要はなく、横架材を１箇所だけに設けるものであってもよい。
【００３５】
さらに、起立して複数設けられる支柱１０３及び前記支柱間に横架して取り付けられる横架材１０４を少なくとも有する間仕切構造体と、該間仕切構造体の前面側又は後面側の少なくとも一方に取り付けられ、前記支柱１０３に側端縁を、前記横架材に上端縁及び下端縁をそれぞれ支持される透明板たるガラス板５とを有する間仕切において、以下に示すような態様が考えられる。すなわち、要部の横断面図を図９に示すように、横架材１０４の前面側及び後面側にガラス板５を上下両側に保持可能な透明板保持部たるガラス板保持部を一体に備えるとともに、横架材取付具１０４０を介して前記横架材１０４が取り付けられる支柱本体１０３１と、前記支柱本体１０３を側方から被覆する形状をなし、左右両側にガラス板５を保持可能な透明板保持部材たるガラス保持枠１０３２とを別体に有するものとする態様が考えられる。そして、このような構成においては、いわゆるけんどん方式によりガラス板５の上下両端縁を横架材１０４に保持させ、その後支柱のガラス保持枠１０３２を支柱本体１０３１及びガラス板５の側端縁にかぶせるようにして取り付けるようにするとよい。なお、この態様においても、上述した実施形態と略同様に、ガラス板５とガラス保持枠１０３２との間に形成される空間には第１及び第２のビード５１、５２を挿入するとともに、ガラス板５と横架材１０４との間に形成される空間には第３及び第４のビード５３、５４を挿入して、ガラス板５を支柱１０３及び横架材１０４に固定するようにしている。
【００３６】
加えて、パネル要素として、ガラス板でなく、例えばアクリル板等のその他の透明ないし半透明な板材を取り付ける際にこのような取付構造を採用するようにしてもよく、パネル要素として不透明な板材を取り付ける際にこのような取付構造を採用するようにしてももちろんよい。また、パネル要素を間仕切構造体の片側にのみ取り付ける態様を採用してももちろんよい。
【００３７】
そして、間仕切だけでなく、例えばショーケースの前面に板状のパネル要素たる透明板を取り付ける際や、デスクトップパネルに板状のパネル要素を取り付ける際にこのようなパネル要素の取付構造を採用してもよい。
【００３８】
その他、本発明の趣旨を損ねない範囲で種々に変形してよい。
【図面の簡単な説明】
【００３９】
【図１】本発明の一実施形態に係る間仕切を示す全体斜視図。
【図２】同実施形態に係る間仕切を示す分解斜視図。
【図３】図１におけるａ−ａ断面の高さ方向中央部を示す図。
【図４】図１におけるａ−ａ断面の上端部を示す図。
【図５】図１におけるａ−ａ断面の下端部を示す図。
【図６】図１におけるｂ−ｂ断面の要部を示す図。
【図７】同実施形態に係る間仕切に用いられる横架材本体を示す図。
【図８】同実施形態に係る間仕切に用いられるガラス保持枠を示す図。
【図９】本発明の他の実施形態に係る間仕切の要部を示す横断面図。
【符号の説明】
【００４０】
Ａ…間仕切
Ｍ…間仕切構造体
３、１０３…支柱
３２…第１ガラス板保持部（透明板保持部）
３３…第２ガラス板保持部（透明板保持部）
１０３１…支柱本体
１０３２…ガラス保持枠（横架材支持部材）
４…横架材
４１…横架材本体
４２…ガラス保持枠（横架材支持部材）
５…ガラス板（パネル要素）
【図１】
2006077542.tif 000003
【図２】
2006077542.tif 000004
【図３】
2006077542.tif 000005
【図４】
2006077542.tif 000006
【図５】
2006077542.tif 000007
【図６】
2006077542.tif 000008
【図７】
2006077542.tif 000009
【図８】
2006077542.tif 000010
【図９】
2006077542.tif 000011